(57)【要約】【課題】大型の表示部を配置する際に制約を受けず、非接触状態で撮影者の接眼状況を検知して、表示部をオフ（ＯＦＦ）にすることが可能となるカメラを提供する。【解決手段】カメラの背面に配置され、画像を表示する表示手段と、  前記カメラの背面に配置されるファインダ窓を有するファインダと、前記カメラの背面であって、前記ファインダ窓の近傍に配置される操作部材と、  赤外光を投光する投光素子と、  前記投光素子によって投光された前記赤外光を受光する受光素子と、  前記操作部材の表面に配置され、前記投光素子から投光される前記赤外光をファインダ窓を覗く撮影者に向けて投光する投光光学部材と、  前記操作部材の表面に配置され、前記赤外光を前記受光素子へ導く受光光学部材と、前記受光素子が前記赤外光を受光する際に前記表示手段による前記画像の表示をオフする制御手段とを有する。【選択図】            図３
2011061288.tif 000002
【特許請求の範囲】
【請求項１】
カメラの背面に配置され、画像を表示する表示手段と、
前記カメラの背面に配置されるファインダ窓を有するファインダと、
前記カメラの背面であって、前記ファインダ窓の近傍に配置される操作部材と、
赤外光を投光する投光素子と、
前記投光素子によって投光された前記赤外光を受光する受光素子と、
前記操作部材の表面に配置され、前記投光素子から投光される前記赤外光をファインダ窓を覗く撮影者に向けて投光する投光光学部材と、
前記操作部材の表面に配置され、前記赤外光を前記受光素子へ導く受光光学部材と、
前記受光素子が前記赤外光を受光する際に前記表示手段による前記画像の表示をオフする制御手段とを有することを特徴とするカメラ。
【請求項２】
前記操作部材は、前記表示手段による前記画像の表示をオン・オフするボタンであることを特徴とする請求項１に記載のカメラ。
【請求項３】
前記操作部材は、前記撮影者が前記カメラを正位置で構えたときに、前記撮影者の指が前記操作部材に掛からない位置に配置されている操作部材であることを特徴とする請求項１または請求項２に記載のカメラ。
【請求項４】
前記操作部材の中央部に、前記投光光学部材と前記受光光学部材との間に遮光部材を挟んで配置されることを特徴とする請求項１乃至３のいずれか１項に記載のカメラ。
【発明の詳細な説明】
【技術分野】
【０００１】
本発明はカメラ、特に、撮影者の接眼状態を検知する接眼検知手段と本体裏面に配置された表示装置およびカメラ状態を制御する操作部材のレイアウトを考慮したカメラに関する。
【背景技術】
【０００２】
カメラにおいて、撮影者の接眼状態を検知する接眼検知手段を備えたカメラが知られている。
このようなカメラにおいて、特許文献１では、撮影者の状態を検知し、撮影者がカメラ接眼部を覗いている際はカメラ本体背面に配置された表示部材をオフ（ＯＦＦ）にする非接触型の検知手段を備えたカメラの実装方法が開示されている。また、特許文献２では、つぎのように構成した操作者の使用状態を検出可能としたカメラが開示されている。
このカメラでは、接触型の接眼検知手段としては、接眼ファインダと撮影者の手動操作によって第一操作信号を発するレリーズボタンと、撮影者の顔の一部と接触することにより第二操作信号を発する表示手段を有した接触検知式の操作部材と、を備える。
また、これらの第一操作信号と第二操作信号が通信可能に接続され、各操作部材の入力状態が検出可能な検出手段を備え、第一操作信号と第二操作信号が同時に検出されるように構成されている。
そして、第一操作信号と第二操作信号が同時に検出されることにより、撮影者がファインダを覗いている状態であると判定し、該表示手段の表示をオフ（ＯＦＦ）にするように構成されている。
【先行技術文献】
【特許文献】
【０００３】
【特許文献１】特開平０５−７２５９９号公報
【特許文献２】特開平２００７−８６４６０
【発明の概要】
【発明が解決しようとする課題】
【０００４】
ところで、近年ではデジタルカメラ背面に配置された表示手段においては、撮影者の利便性の向上を図るために、より大型の表示部を配置することが求められる。
一方、カメラ全体の大きさに対しては、より小さくすることが求められている。これらの要求を満たすた上で、カメラ背面における機能部材の配置に制限を受けることとなることから、上記従来例のものにおいては、つぎのような課題が生じる。
例えば、上記従来例の特許文献１においては、接眼検知ユニットを配置する際、撮影者の接眼状況を把握するという性質上、機能部材は接眼ユニット近傍に配置する必要があり、接眼ユニットと表示部の間に配置される可能性が高い。
このような配置が採られる場合、表示部を縦方向に拡大させる際などにおいて制約を受ける。
また、上記従来例の特許文献２のような構成を採った場合、表示部の拡大という観点においては接眼検知ユニットを別途配置する必要が無いため有利ではある。しかしながら、撮影者が表示部材に触れることにより、表示部が汚れ見えにくくなってしまう恐れがある。
また、撮影者が眼鏡等を着用していた場合には眼鏡とファインダ窓が先に接触し、カメラ表示部と撮影者の顔が接触しない場合も起こり得る。
そうした場合には、撮影者がファインダを覗いた状態であっても、カメラ背面の表示手段はオン（ＯＮ）状態のままとなり、撮影者の利便性を損なう可能性がある。
【０００５】
本発明は、上記課題に鑑み、大型の表示部を配置する際に制約を受けず、非接触状態で撮影者の接眼状況を検知して、表示部をオフ（ＯＦＦ）にすることが可能となるカメラの提供を目的とする。
【課題を解決するための手段】
【０００６】
本発明のカメラは、カメラの背面に配置され、画像を表示する表示手段と、前記カメラの背面に配置されるファインダ窓を有するファインダと、前記カメラの背面であって、前記ファインダ窓の近傍に配置される操作部材と、赤外光を投光する投光素子と、前記投光素子によって投光された前記赤外光を受光する受光素子と、前記操作部材の表面に配置され、前記投光素子から投光される前記赤外光をファインダ窓を覗く撮影者に向けて投光する投光光学部材と、前記操作部材の表面に配置され、前記赤外光を前記受光素子へ導く受光光学部材と、前記受光素子が前記赤外光を受光する際に前記表示手段による前記画像の表示をオフする制御手段とを有することを特徴とする。
【発明の効果】
【０００７】
本発明によれば、大型の表示部を配置する際に制約を受けず、非接触状態で撮影者の接眼状況を検知して、表示部をオフ（ＯＦＦ）にすることが可能となるカメラを実現することができる。
【図面の簡単な説明】
【０００８】
【図１】本実施の実施例１におけるデジタル一眼レフカメラの主要な電気的構成を示すブロック図。
【図２】本実施の実施例１におけるカメラ前面側より見た斜視図。
【図３】本実施の実施例１におけるカメラを撮影者側（背面側）から見た斜視図。
【図４】本実施の実施例１におけるカメラの接眼検知手段を一体的に配置した操作部材の構成を説明する図。
【図５】本実施の実施例１におけるカメラの接眼検知手段を一体的に配置した操作部材の分解斜視図。
【図６】本実施の形態に係るカメラの接眼検知手段の検知範囲を示した光路図。
【図７】本実施の実施例１におけるカメラの接眼検知手段と表示装置の制御に関するチャート図。
【図８】本実施の実施例１におけるカメラの接眼検知手段を一体的に配置した操作部材の望ましい配置領域について説明する図。
【図９】本実施の実施例１におけるカメラの表示領域について説明するカメラ背面図。
【発明を実施するための形態】
【０００９】
本発明の実施形態における接眼検知機能を有するカメラの構成について説明する。
本実施形態においては、接眼状態を検知する非接触型の接眼検知手段がカメラの動作状態を制御するカメラ操作部材の中（例えば、図３に示される表示切替ボタン５３１の中）に構成される。
また、このカメラ操作部材は、前記接眼ファインダ（例えば、図３に示される接眼ファインダ５２０）の近傍に配置される。
これらにより、画像を表示する表示手段（例えば、図３に示される表示手段５２９）とカメラ操作部材とがカメラ背面に配置された構成のもとで、カメラ背面に於ける表示手段以外の機能部材の占有面積を縮小させることができる。
したがって、カメラ背面に設けられた表示手段の表示面積を撮影者の利便性を損なうことなく拡大することができる。
また、前記操作部材の中に構成された接眼検知手段は非接触の検知手段であることから、カメラ背面に配置された表示手段に、直接撮影者が接触せずにこの表示手段をオフ（ＯＦＦ）にすることができ、表示部材を汚すことを防ぐことができる。
また、前記接眼検知手段を、カメラ背面に設けられたカメラ表示手段の表示状態を制御する操作ボタンの中に配置する構成を採ることがき、撮影者の利便性を損なわないようにすることができる。
また、前記接眼検知手段を、撮影者がカメラ本体を正位置で構えたときにその指が、前記カメラ操作部材に掛からない位置に配置することにより、撮影者が意図しない時にカメラ背面の表示手段がオフ（ＯＦＦ）することを抑制する構成とすることができる。
【実施例】
【００１０】
つぎに、図を参照して、本発明を適用して構成した実施例におけるデジタル一眼レフカメラの具体的構成について説明する。
図１乃至図９は、本実施例のデジタル一眼レフカメラ構成を説明する図であり、図１はその主要な電気的構成を示すブロック図である。
なお、図１には図２〜３と共通する部分には同一の符号が付されている。
本実施例においては、カメラ本体１に内蔵されたマイクロコンピュータからなる中央処理装置（以下、これを「ＭＰＵ」と記す）１００は、カメラの動作制御を司るものであり、各要素に対して様々な処理や指示を実行する。
ＭＰＵ１００に内蔵されたＥＥＰＲＯＭ１００ａは、時刻計測回路１０９の計時情報やその他の情報を記憶することができる。
ＭＰＵ１００には、ミラー駆動回路１０１、焦点検出回路１０２、シャッタ駆動回路１０３、映像信号処理回路１０４、スイッチセンス回路１０５、測光回路１０６、ストロボ駆動回路１１３が接続されている。
ストロボ駆動回路１１３により、ストロボユニット５０４の動作が制御される。また、ＬＣＤ駆動回路１０７、バッテリチェック回路１０８、時刻計測回路１０９、電力供給回路１１０、圧電素子駆動回路１１１が接続されている。これらの回路は、ＭＰＵ１００の制御により動作するものである。
【００１１】
ＭＰＵ１００は、撮影レンズユニット２００ａ内のレンズ制御回路２０１とマウント接点５０７を介して通信を行う。
マウント接点５０７は、撮影レンズユニット２００ａが接続されるとＭＰＵ１００へ信号を送信する機能も有する。
これにより、レンズ制御回路２０１は、ＭＰＵ１００との間で通信を行い、ＡＦ駆動回路２０２及び絞り駆動回路２０３を介して撮影レンズユニット２００ａ内の撮影レンズ２００及び絞り２０４の駆動を行う。
なお、図１では便宜上１枚の撮影レンズ２００のみを図示しているが、実際は多数のレンズ群によって構成される。
【００１２】
ＡＦ駆動回路２０２は、例えばステッピングモータによって構成され、レンズ制御回路２０１の制御により撮影レンズ２００内のフォーカスレンズ位置を変化させ、撮像素子３３に撮影光束の焦点を合わせるように調整する。
絞り駆動回路２０３は、例えばオートアイリス等によって構成され、レンズ制御回路２０１の制御により絞り２０４を変化させ、光学的な絞り値を得る。
メインミラー５１２は、図１に示す撮影光軸５０に対して４５°の角度に保持された状態で、撮影レンズ２００を通過する撮影光束をペンタダハミラー２２へ導くと共に、その一部を透過させてサブミラー３０へ導く。
サブミラー３０は、メインミラー５１２を透過した撮影光束を焦点検出センサユニット３１へ導く。
ミラー駆動回路１０１は、例えばＤＣモータとギヤトレイン等によって構成され、メインミラー５１２を、ファインダにより被写体像を観察可能とする位置と、撮影光束から待避する位置とに駆動する。メインミラー５１２が駆動すると、同時にサブミラー３０も、焦点検出センサユニット３１へ撮影光束を導く位置と、撮影光束から待避する位置とに移動する。
【００１３】
焦点検出センサユニット３１は、不図示の結像面近傍に配置されたフィールドレンズ、反射ミラー、２次結像レンズ、絞り、複数のＣＣＤからなるラインセンサ等によって構成され、位相差方式の焦点検出を行う。
焦点検出センサユニット３１から出力される信号は、焦点検出回路１０２へ供給され、被写体像信号に換算された後、ＭＰＵ１００に送信される。ＭＰＵ１００は、被写体像信号に基づいて位相差検出法による焦点検出演算を行う。
そして、デフォーカス量及びデフォーカス方向を求め、これに基づいて、レンズ制御回路２０１及びＡＦ駆動回路２０２を介して撮影レンズ２００内のフォーカスレンズを合焦位置まで駆動する。
ペンタダハミラー２２は、メインミラー５１２により反射された撮影光束を正立正像に変換反射する。
撮影者はファインダ光学系を介して接眼ファインダ窓を有する接眼ファインダ５２０から被写体像を観察することができる。ペンタダハミラー２２は、撮影光束の一部を測光センサ４６へも導く。
測光回路１０６は、測光センサ４６の出力を得て、観察面上の各エリアの輝度信号に変換し、ＭＰＵ１００に出力する。ＭＰＵ１００は、輝度信号に基づいて露出値を算出する。
【００１４】
シャッタユニット（機械フォーカルプレーンシャッタ）３２は、撮影者がファインダにより被写体像を観察している時には、シャッタ先幕が遮光位置にあると共に、シャッタ後幕が露光位置にある。
次いで、撮影時には、シャッタ先幕が遮光位置から露光位置へ移動する露光走行を行って被写体からの光を通過させ、撮像素子３３で撮像を行う。
所望のシャッタ秒時の経過後、シャッタ後幕が露光位置から遮光位置へ移動する遮光走行を行って撮影を完了する。
機械フォーカルプレーンシャッタ３２は、ＭＰＵ１００の指令を受けたシャッタ駆動回路１０３により制御される。
撮像ユニット４００は、光学ローパスフィルタ４１０、圧電部材である圧電素子４３０、撮像素子３３が後述する他の部品と共にユニット化されたものである。撮像素子３３は、被写体像を光電変換するものであり、本実施例ではＣＭＯＳセンサが用いられるが、その他にもＣＣＤ型、ＣＭＯＳ型及びＣＩＤ型等様々な形態があり、いずれの形態の撮整像デバイスを採用してもよい。
撮像素子３３の前方に配置された光学ローパスフィルタ４１０は、水晶からなる１枚の複屈折板であり、その形状は矩形状である。
圧電素子４３０は、単板の圧電素子（ピエゾ素子）であり、ＭＰＵ１００の指示を受けた圧電素子駆動回路１１１により加振され、その振動を光学ローパスフィルタ４１０に伝えるように構成されている。
【００１５】
クランプ／ＣＤＳ（相関二重サンプリング）回路３４は、Ａ／Ｄ変換する前の基本的なアナログ処理を行うものであり、クランプレベルを変更することも可能である。
ＡＧＣ（自動利得調整装置）３５は、Ａ／Ｄ変換する前の基本的なアナログ処理を行うものであり、ＡＧＣ基本レベルを変更することも可能である。
Ａ／Ｄ変換器３６は、撮像素子３３のアナログ出力信号をデジタル信号に変換する。
映像信号処理回路１０４は、デジタル化された画像データに対してガンマ／ニー処理、フィルタ処理、モニタ表示用の情報合成処理等、ハードウエアによる画像処理全般を実行する。
この映像信号処理回路１０４からのモニタ表示用の画像データは、カラー液晶駆動回路１１２を介してカラー液晶モニタ５２９に表示される。
また、映像信号処理回路１０４は、ＭＰＵ１００の指示に従って、メモリコントローラ３８を通じてバッファメモリ３７に画像データを保存することもできる。さらに、映像信号処理回路１０４は、ＪＰＥＧ等の画像データ圧縮処理を行うこともできる。
連写撮影等、連続して撮影が行われる場合は、一旦バッファメモリ３７に画像データを格納し、メモリコントローラ３８を通して未処理の画像データを順次読み出すこともできる。
これにより、映像信号処理回路１０４は、Ａ／Ｄ変換器３６から入力されてくる画像データの速度に関わらず、画像処理や圧縮処理を順次行うことができる。
【００１６】
メモリコントローラ３８は、外部インタフェース４０から入力される画像データを外部メモリ３９に記憶し、外部メモリ３９に記憶されている画像データを外部インタフェース４０から出力する機能を有する。
なお、外部インタフェース４０は、ビデオ信号出力用ジャック及びＵＳＢ出力用コネクタが相当する。外部メモリ３９としては、カメラ本体に着脱可能なフラッシュメモリ等が用いられる。
スイッチセンス回路１０５は、各スイッチの操作状態に応じて入力信号をＭＰＵ１００に送信する。
スイッチＳＷ１（５１０ａ）は、レリーズボタン５１０の第１ストローク（半押し）によりＯＮする。
スイッチＳＷ２（５１０ｂ）は、レリーズボタン５１０の第２ストローク（全押し）によりＯＮする。スイッチＳＷ２（５１０ｂ）がＯＮされると、撮影開始の指示がＭＰＵ１００に送信される。
また、メイン操作ダイヤル５０３、撮影モード設定ダイヤル５０２、電源スイッチ５０１、クリーニング指示操作部材が接続されている。
【００１７】
ＬＣＤ駆動回路１０７は、ＭＰＵ１００の指示に従って、ファインダ内液晶表示装置４１を駆動する。
バッテリチェック回路１０８は、ＭＰＵ１００の指示に従って、バッテリチェックを行い、その検出結果をＭＰＵ１００に送信する。電源４２は、カメラの各要素に対して電源を供給する。
時刻計測回路１０９は、電源スイッチ５０１がＯＦＦされて次にＯＮされるまでの時間や日付を計測し、ＭＰＵ１００からの指示に従って、計測結果をＭＰＵ１００に送信する。
【００１８】
図２および図３は、本実施例に係るデジタル一眼レフカメラの外観を示す図である。
具体的には、図２はカメラ前面側より見た斜視図であって、撮影レンズユニットを外した状態を示している。図３は、カメラを撮影者側（背面側）から見た斜視図である。
図２において１はカメラ本体であり、撮影時に使用者がカメラを安定して握り易いように前方に突出したグリップ部５１３が設けられている。
５０１はカメラの電源スイッチであり、電源スイッチ５０１の操作により、カメラの動作を起動もしくは停止させる。
カメラには使用者が撮影時に使用者がカメラを安定して握り易いように前方に突出したグリップ部５１３が設けられている。
５１１はカメラ筐体内に配置されたミラーボックスで、撮影レンズを通過した撮影光束はここへ導かれる。
ミラーボックス５１１の内部には、メインミラー５１２が配設されている。
メインミラー５１２は、撮影光束をペンタダハミラー２２（図１参照）の方向へ導くために撮影光軸に対して４５°の角度に保持される状態と、撮像素子３３（図１参照）の方向へ導くために撮影光束から退避した位置に保持される状態とを取り得る。
ペンタダハミラー２２内に投光された撮影光束は接眼レンズ部１８を介し不図示の撮影者瞳内で結像される。
また、カメラ上部中央には、カメラ本体に対してポップアップするカメラ内蔵型ストロボユニット５０４が設けられており、被写体に照明光を照射する。
カメラ上部右寄りには、撮影者がカメラの撮影モードを設定するための撮影モード設定ダイヤル５０２が設けらている。
そして、撮影シーンに合わせたオート撮影モードや、シャッタスピード及びレンズ絞り値の各々を撮影者の意志により設定するマニュアル撮影モードなどを選択することが可能とされている。
また、メイン電子ダイヤル５０３の操作によって撮影時の動作モードに応じてシャッタスピードやレンズ絞り値を設定することが可能である。
５０５ａおよび５０５ｂはカメラ本体へストラップを取り付けるためのストラップ取り付け部材であり、略中央部に設けられた穴にストラップ紐がかけられるようになっている。
５０８はマウント部であり、着脱可能な撮影レンズユニット（不図示）をカメラ本体に固定させる。
レンズロック解除ボタン５０６を押し込むことにより撮影レンズユニットをカメラ本体から取り外す際ことが可能となっている。
また、マウント接点５０７は、カメラ本体と撮影レンズユニットとの間で制御信号、状態信号、データ信号などを介在すると共に、撮影レンズユニット側に電力を供給する機能を有する。また、マウント接点５０７は電気通信のみならず、光通信、音声通信などを可能なように構成してもよい。
【００１９】
カメラのグリップ５１３の上部側には、撮影開始の起動スイッチとしてのレリーズボタン５１０が配置さている。
そして、第１ストロークによってＳＷ１がＯＮし、撮影準備動作（焦点調節動作および測光動作）が開始され、第２ストロークにてＳＷ２がＯＮし、撮影動作が開始される。
５０９はカメラ本体へ撮影画像を記録する外部メモリ（不図示）を収納するための収納口である。
また、図３に示すように、カメラ背面側には上方に接眼ファインダ窓を有する接眼ファインダ５２０の他、カメラの撮影前情報や設定内容、また、撮影した画像などを表示可能なカラー液晶モニタ５２９が設けられている。
カメラ背面側には、つぎのような各ボタンが配置されている。
すなわち、ＡＦフレーム選択ボタン５２２、ＡＥロックボタン５２３、撮影した画像の再生等の操作を行う再生ボタン５２６、撮影した画像の消去等の操作を行う消去ボタン５２４が配置されている。
また、撮影した画像の印刷等の操作を行うイージーダイレクトボタン５２７、露出補正設定ボタン５２８、メニュー画面の呼び出し等の操作を行うＭＥＮＵボタン５３０が配置されている。
また、液晶表示装置５２９の表示／非表示の切替等の操作を行う表示切替ボタン（ＤＩＳＰボタン）５３１の他、各種設定時に決定を行うための選択決定ボタン５２５が配置されている。
また、カメラ上部右側には、撮影者が撮影時のＩＳＯ感度設定を選択可能なモードへ移行するためのＩＳＯ感度設定ボタン５２１が設けられている。
【００２０】
つぎに、図４及び図５を用いて、非接触型接眼検知部材と操作部材との一体構成について説明する。
図４は図３に示す表示切替ボタン５３１の構成を模式的に示した図で有り、図４（ａ）は斜視図、図４（ｂ）は正面図、図４（ｃ）は図４（ｂ）における断面線Ａ−Ａでの断面図である。
図５は図４に記載のボタン構成の分解斜視図である。
本実施例においては、後述するように、カメラの動作状態を制御するカメラ操作部材によって、液晶表示装置（表示部）５２９の表示状態を制御して表示オン・オフの切替等の操作を行う表示切替ボタン（ＤＩＳＰボタン）５３１を構成することが望ましい。
ａはボタン部材ｂ１〜ｂ３が一体となった状態で嵌合する穴ａ１をもち、遮光部材により成型されたボタン部材であり、ｂ１は赤外光透過部材により成型された受光光学部材である。このように表示切替ボタン５３１（カメラ操作部材）の中央部が光を透過する部材で構成される。
ｂ２は遮光性部材により成型された遮光部材であり、ｂ３は赤外光透過部材で成型された投光光学部材であり、ｃは面ｃ１に導電性の樹脂を持つゴムボタン部品であり、ｄは赤外受光素子ｄ１と赤外投光ＬＥＤｄ２とをもつ電気素子である。また、ｅは面ｅ１に電気的に導通可能な導体露出部を持つ電気基板である。
【００２１】
前記のようにボタン部材ｂ１〜ｂ３は３部品が一体となった状態でボタン部材ａに成型された穴ａ１に嵌合した状態でボタン部材ａの表面に保持され、ボタン部材ａは外周部ａ２が不図示のカメラ背面部材に設けられた穴にスライド可能に保持されている。
ゴム部材ｃは不図示のカメラ背面部材に設けられたリブ形状に対し、面ｃ３が勘合状態で保持されカメラ背面部材に対し全体として動かない構成となっている。電気素子ｄは電気基板ｅの面ｅ２に対し実装されており、電気基板ｅは不図示の保持部材により、カメラ背面部材に対し固定されている。
操作者が上記説明した構成の操作部材を押した場合、ボタンａがカメラ背面部材に対しスライドし、ボタン部材ｂに設けられた面ｂがゴム部材ｃの頂点の面ｃ１を押すことになる。
ボタンａが完全に押し込まれた状態にあるとき、ゴム部材ｃの下面に配置された導電性ゴム面ｃ２が基板ｅ上に設けられた導体露出部ｅ１に接触し、導体露出部ｅ１上に設けられた不図示のパターンが導通されボタンが押されたことを検出する。
本実施例では、一般的なゴムスイッチによる構成を例として用いたが代わりに実装型のスイッチであるタクトスイッチやゴム部材ｃの代わりにメタルドームを貼り付ける構成としてももちろん良く、スイッチとしての構成はこの限りではない。
【００２２】
つぎに、図６を用いて、本実施例における接眼検知手段の構成と接眼検知方法について説明する。
まず、接眼検知手段の構成について説明する。ｄ２は投光素子であり、ここでは電流を流した場合に主に赤外光を発光するＬＥＤであり、その光の波長は主に７００ｎｍ以上である。
ｄ１は投光素子ｄ２から放射された光の反射光を検出する受光素子であり、受光した光の波長や強度によって電流を発生させる受光センサーである。
ｂ３は投光部前面に配置されたボタン部材としての機能とＬＥＤからの投光を導くライトガイドとしての機能も有する部材であり、投光素子ｄ２側に投光用の光学面として正のパワーを持つレンズである凸レンズが形成されている。
ｂ１は受光部前面に配置されたボタン部材としての機能とＬＥＤからの投光が対象物に当たり反射した反射光を導くライトガイドとしての機能も有する部材である。受光素子ｄ１側に受光用の光学面として正のパワーを持つレンズである凸レンズが形成されている。投光用のボタン部材ｂ３および受光用のボタン部材ｂ１は第一の波長（ここでは７２０ｎｍ）以上の波長の光を透過する材料で形成されている。
【００２３】
次に、検知手段の撮影者検知方法について説明する。
投光素子ｄ２から投光用ボタンｂ３を通して放射された光は、投光用ボタンｂ３に形成された正のパワーを持つレンズである凸レンズによりある程度集光される。
そして、接眼ファインダ５２０における接眼ファインダ窓の中心軸でもあるファインダー光軸ｇと交差する第一の投光光路ｆ１を進む。
受光素子ｄ１は受光用のボタン部材ｂ１に形成された正のパワーを持つレンズである凸レンズにより、前記ファインダー光軸ｇと交差する第一の受光光路ｆ２から集光された光を受光する。
この結果として、近接検知限界距離Ｌ１から遠方検知限界位置Ｌ２までの間に撮影者が存在する場合には検出有効領域ＡＲＥＡ１０に赤外光反射面となる撮影者が存在することになる。
そして、投光素子ｄ２から放射された光は撮影者で反射し、受光素子ｄ１にてその反射光を受光して撮影者を検知することができる。
以上のように接眼検知手段を構成し、表示装置を制御する際のフローチャートを図７に示す。
【００２４】
つぎに、非接触型接眼検知手段を一体的に構成するようにした操作部材について説明する。
図１〜図３で説明したように本発明を実施するカメラ構成に於いては、様々な機能ボタンが配置されている。
ここでは、接眼検知機能を持たすようにしたカメラ操作部材について説明する。撮影者の接眼状況を赤外ＬＥＤの投光反射を検知し制御するという性質上、接眼機能を持たせるべきボタンはカメラ背面に配置されたボタンである必要がある。また撮影者がカメラ状態を変更する際に画面表示を確認しながら操作を行うボタンに接眼検知手段を設けた場合は次のような問題点が起こりうる。
撮影者がカメラ状態を変更しようと前記ボタンに指を掛けた場合、ボタン内に配置された接眼検知手段が撮影者の指を対象物と検知し、カメラ背面の表示部をＯＦＦにしてしまうことになる。
このような構成ではカメラ制御状態を変更するために設けられた前記ボタンの機能を阻害してしまうことになる。
本実施例における前記カメラ背面の表示状態を確認しながら操作を行うボタンには、つぎのようなボタンが含まれる。
すなわち、ＡＦフレーム選択ボタン５２２、ＡＥロックボタン５２３、撮影した画像の再生等の操作を行う再生ボタン５２６、撮影した画像の消去等の操作を行う消去ボタン５２４。
あるいは、撮影した画像の印刷等の操作を行うイージーダイレクトボタン５２７、露出補正設定ボタン５２８、メニュー画面の呼び出し等の操作を行うＭＥＮＵボタン５３０、各種設定時に決定を行うための選択決定ボタン５２５、等のボタンが含まれる。
これらのボタンには上記問題点のため接眼検知手段を設けることは難しい。
【００２５】
本発明を実施するカメラ構成において、接眼検知手段を設けるのにもっとも適したボタンは、液晶表示装置５２９の表示／非表示の切替等の操作を行う表示切替ボタン（ＤＩＳＰボタン）５３１である。
このボタンは液晶表示装置５２９の表示／非表示を撮影者の意図で切り替えるためのボタンである。
表示装置５２９が表示状態にある時、撮影者の指が表示切換ボタンに掛かり表示装置５２９が一時的非表示状態となったとしても、それは撮影者の意志によるものであり、撮影者の利便性を損なうことは無い。
【００２６】
つぎに、本実施例における非接触型接眼検知手段のレイアウトについて説明する。
以上説明してきた非接触型接眼検知手段を内蔵したカメラ操作部材（表示切替ボタン５３１）の配置としては、撮影者がカメラ本体を正位置で構えたときに該撮影者の指が該カメラ操作部材掛に掛からない位置に配置されていることが望ましい。
例えば、図８に図示したＡＲＥＡ２０に配置することが望ましく、逆にＡＲＥＡ３０に配置した場合には撮影者の利便性を損なう可能性がある。
それは、ＡＲＥＡ３０は撮影者がカメラを正位置で保持した場合に撮影者の指が掛かる可能性がある領域であり、仮に撮影者の指が掛かった場合、撮影者が意図しない状態で表示装置が非表示状態に制御され、撮影者の利便性を損なう可能性が高いからである。
以上のようにＡＲＥＡ２０に前記操作手段を配置することが望ましい。
すなわち、これによりカメラを正位置で保持した場合に撮影者の指が掛かることが無く、且つファインダ近傍に前記操作部材を配置することができるため、接眼検知精度を向上させることができる面からもＡＲＥＡ２０に前記操作手段を配置することが望ましい。
【００２７】
つぎに、非接触型接眼検知部材と操作部材との一体構成による背面表示部の拡大について説明する。
図９を用いて本発明を実施した場合のカメラ背面表示装置の表示領域拡大について説明する。
図９（ａ）は従来の非接触型接眼検知装置を配置したカメラ背面図であり、Ｖ１は表示装置の縦方向の長さを表す。
従来例のカメラ背面には非接触型の接眼検知装置１０００がファインダと表示装置に挟まれた空間に配置されている。
図９（ｂ）は本発明を実施したカメラの背面図であり、Ｖ２は表示装置の縦方向の長さを表す。
非接触型の接眼検知装置は表示切替ボタン５３１内に配置されている。
図９（ｂ）に示すように、本発明による非接触型の接眼検知装置を持つカメラは従来構成のカメラに比べ、（Ｖ２−Ｖ１）分カメラ背面の表示装置を縦方向に拡大することが出来る。
【符号の説明】
【００２８】
５２０：接眼ファインダ
５２１：ＩＳＯ感度設定ボタン
５２２：ＡＦフレーム選択ボタン
５２３：ＡＥロックボタン
５２４：消去ボタン
５２５：決定ボタン
５２６：再生ボタン
５２７：イージーダイレクトボタン
５２８：露出補正設定ボタン
５２９：カラー液晶モニタ（液晶表示装置）
５３０：ＭＥＮＵボタン
５３１：ＤＩＳＰボタン
【図１】
2011061288.tif 000003
【図２】
2011061288.tif 000004
【図３】
2011061288.tif 000005
【図４】
2011061288.tif 000006
【図５】
2011061288.tif 000007
【図６】
2011061288.tif 000008
【図７】
2011061288.tif 000009
【図８】
2011061288.tif 000010
【図９】
2011061288.tif 000011